(57)【要約】【課題】焦点距離が等しい光ビームで多重焦点露光を行うことで、高い解像度を維持し且つ深い焦点深度を得ることができる露光ヘッド及び露光装置を提供する。【解決手段】露光装置は、光を照射する光源６６と、二次元状に配列された複数のマイクロミラーを駆動して複数の光ビームを生成するミラーデバイス５０と、ミラーデバイス５０で生成された複数の光ビームの各々を集光する集光光学系と、集光光学系で集光された複数の光ビームの各々を感光材料上に結像させる結像光学系８０、８２と、集光光学系と結像光学系との間の複数の光ビームの光路上に光軸と直交するように配置された厚さの異なる複数の部分を有する平行平板１０と、を備えた複数の露光ヘッドを有する。これら複数の露光ヘッドを感光材料に対して所定方向に相対移動させて、感光材料の略同じ位置を焦点位置の異なる光ビームで重ねて露光する。【選択図】図７
2011007941.tif 000002
【特許請求の範囲】
【請求項１】
光を照射する光源と、
二次元状に配列された複数の画素部を備えて構成され、前記複数の画素部の各々が前記光源から照射された光を画像データに応じて変調して、複数の画素部の各々に対応した複数の光ビームを生成する空間光変調素子と、
前記空間光変調素子で生成された複数の光ビームの各々を集光する集光光学系と、
前記集光光学系で集光された複数の光ビームの各々を感光材料上に結像させる結像光学系と、
前記集光光学系と前記結像光学系との間に配置されると共に、前記空間光変調素子で生成された複数の光ビームの光路上に光軸と交差するように配置され、焦点位置の異なる複数の光ビームを生成するように厚さの異なる複数の部分を有する平行平板と、
を備えた露光ヘッド。
【請求項２】
請求項１に記載の複数の露光ヘッドと、
前記露光ヘッドを前記感光材料に対して予め定めた方向に相対移動させる移動手段と、
前記移動手段による予め定めた方向への相対移動によって、前記感光材料が該感光材料に対して焦点距離が同じで且つ焦点位置の異なる複数の光ビームで多重露光されるように、前記空間光変調素子及び前記移動手段を制御する制御手段と、
を備えた露光装置。
【請求項３】
前記平行平板の複数の部分は、前記予め定めた方向では異なる焦点位置を有するように異なる厚さに形成されると共に、前記予め定めた方向と交差する方向では焦点位置が一定になるように一定の厚さに形成された請求項２に記載の露光装置。
【発明の詳細な説明】
【技術分野】
【０００１】
本発明は、露光ヘッド及び露光装置に関する。
【背景技術】
【０００２】
従来、画像データに基づいて空間光変調素子により変調された光を用いて感光材料を露光する露光ヘッド、及び該露光ヘッドを走査させて該感光材料上に画像パターンを形成する露光装置が種々知られている。空間光変調素子は、照射された光を各々制御信号に応じて変調する多数の画素部が並設されてなるものである。空間光変調素子の一例として、デジタル・マイクロミラー・デバイス（ＤＭＤ：登録商標）が挙げられる。ＤＭＤは、制御信号に応じて反射面の角度を変化させる多数のマイクロミラーが、シリコン等の半導体基板上に２次元状に配列されてなるミラーデバイスである。
【０００３】
特許文献１には、照射された光を各々制御信号に応じて変調する画素部が多数並設されてなる空間光変調素子を備え、感光材料に対して相対移動して前記感光材料の同一位置を複数の前記画素部からの光により多重露光する露光ヘッドにおいて、前記空間光変調素子と前記感光材料との間の光路に、前記空間光変調素子の各画素部からの光をそれぞれ集光するマイクロレンズがアレイ状に配されてなるマイクロレンズアレイが配置され、前記同一位置の多重露光に用いられる前記マイクロレンズのうち少なくとも２つのマイクロレンズの焦点距離が異なることを特徴とする露光ヘッドが記載されている。
【０００４】
また、特許文献２には、回折光学素子を少なくとも１枚含む投影レンズ系において、該回折光学素子の中の１枚は複数のゾーンからなり、該複数のゾーンを透過する光束が光軸方向のわずかに異なる少なくとも２点の位置に結像するように、前記複数のゾーンが相互に異なる結像作用を有することを特徴とする投影レンズ系が記載されている。
【先行技術文献】
【特許文献】
【０００５】
【特許文献１】特開２００７−３３９７３号公報
【特許文献２】特開平６−３３１９４２号公報
【発明の概要】
【発明が解決しようとする課題】
【０００６】
特許文献１及び特許文献２に記載された発明は、何れも焦点深度の拡大を図ることを目的としている。しかしながら、特許文献１に記載の露光ヘッド等は、焦点距離が異なる２種類以上のマイクロレンズを用いているので、多重露光に用いる光ビームの収束角度が異なり、ビームウエスト径も異なっている。このため、特許文献１に記載の露光ヘッド等は、解像度が高くなるほど焦点深度の拡大を図ることが難しくなり、高精細な露光には適していない。
【０００７】
また、特許文献２に記載の投影レンズ系は、回折光学素子を用いて複数の位置に結像する光ビームを得ており、得られる光ビームの光軸方向が異なっているので、高精細な多重露光には適していない。また、複数のゾーンからなる特殊な構造の回折光学素子が必要になる。
【０００８】
本発明は、上記問題を解決すべく成されたものであり、本発明の目的は、焦点距離が等しい光ビームで多重焦点露光を行うことで、高い解像度を維持し且つ深い焦点深度を得ることができる露光ヘッド及び露光装置を提供することにある。
【課題を解決するための手段】
【０００９】
上記目的を達成するために請求項１に記載の発明は、光を照射する光源と、二次元状に配列された複数の画素部を備えて構成され、前記複数の画素部の各々が前記光源から照射された光を画像データに応じて変調して、複数の画素部の各々に対応した複数の光ビームを生成する空間光変調素子と、前記空間光変調素子で生成された複数の光ビームの各々を集光する集光光学系と、前記集光光学系で集光された複数の光ビームの各々を感光材料上に結像させる結像光学系と、前記集光光学系と前記結像光学系との間に配置されると共に、前記空間光変調素子で生成された複数の光ビームの光路上に光軸と交差するように配置され、焦点位置の異なる複数の光ビームを生成するように厚さの異なる複数の部分を有する平行平板と、を備えたことを特徴とする露光ヘッドである。
【００１０】
請求項２に記載の発明は、請求項１に記載の複数の露光ヘッドと、前記露光ヘッドを前記感光材料に対して予め定めた方向に相対移動させる移動手段と、前記移動手段による予め定めた方向への相対移動によって、前記感光材料が該感光材料に対して焦点距離が同じで且つ焦点位置の異なる複数の光ビームで多重露光されるように、前記空間光変調素子及び前記移動手段を制御する制御手段と、を備えたことを特徴とする露光装置である。
【００１１】
請求項３に記載の発明は、前記平行平板の複数の部分は、前記予め定めた方向では異なる焦点位置を有するように異なる厚さに形成されると共に、前記予め定めた方向と交差する方向では焦点位置が一定になるように一定の厚さに形成されたことを特徴とする請求項２に記載の露光装置である。
【００１２】
上記の露光ヘッド及び露光装置において、前記平行平板の複数の部分は、前記感光材料が露光により光透過率が低下する特性を有する場合には裏面側から順に露光される配列となり、前記感光材料が露光により光透過率が増加する特性を有する場合には表面側から順に露光される配列となるように、前記予め定めた方向では段階的に異なる厚さに形成されたものとしてもよい。
【００１３】
上記の露光ヘッド及び露光装置において、前記空間光変調素子としては、マイクロミラーを画素部として備えた反射型の空間光変調素子を用いることが好ましい。
【発明の効果】
【００１４】
本発明の請求項１に係る発明によれば、焦点距離が等しい光ビームで多重焦点露光を行うことで、高い解像度を維持し且つ深い焦点深度を得ることができる露光ヘッドを提供することができる、という効果がある。
【００１５】
また、本発明の請求項２に係る発明によれば、焦点距離が等しい光ビームで多重焦点露光を行うことで、高い解像度を維持し且つ深い焦点深度を得ることができる露光装置を提供することができる、という効果がある。
【００１６】
また、本発明の請求項３に係る発明によれば、露光ヘッドの相対移動方向（副走査方向）においては焦点距離が同じで且つ焦点位置の異なる複数の光ビームで多重露光されるが、副走査方向と交差する方向（主走査方向）では焦点位置が一定になるので、主走査方向においては略均一な光で露光を行うことができる、という効果がある。
【図面の簡単な説明】
【００１７】
【図１】第１の実施形態の露光装置の概略構成を示す斜視図である。
【図２】スキャナの構成を模式的に示す斜視図である。
【図３】（Ａ）は感光材料に露光済み領域が形成される様子を示す平面図であり、（Ｂ）は各露光ヘッドによる露光エリアの配列を示す模式図である。
【図４】露光ヘッドの概略構成を示す斜視図である。
【図５】ミラーデバイスの構成及び動作を説明するための図である。
【図６】（Ａ）はマイクロミラーがオン状態である＋α度に傾いた状態を示し、（Ｂ）は、マイクロミラーがオフ状態である−α度に傾いた状態を示す図である。
【図７】露光ヘッドの構成を詳細に説明するための光軸に沿った断面図である。
【図８】平行平板の形状を模式的に示す斜視図である。
【図９】（Ａ）〜（Ｃ）は多重焦点露光により焦点深度が拡大する理由を説明する模式図である。
【図１０】１つのミラーデバイスによって得られる二次元像である露光エリア及び露光エリアにおけるブロック領域を示す模式図である。
【図１１】（Ａ）〜（Ｃ）は、焦点位置の異なるレーザ光による多重露光の経時変化の様子を示す概略図である。
【図１２】第２の実施の形態に係る露光ヘッドの構成を詳細に説明するための光軸に沿った断面図である。
【図１３】（Ａ）〜（Ｃ）は、焦点位置の異なるレーザ光による多重露光の経時変化の様子を示す概略図である。
【図１４】（Ａ）〜（Ｃ）は平行平板の形状及び配置の変形例を示す光軸に沿った断面図である。
【図１５】（Ａ）及び（Ｂ）は段差基板への適用例を示す概略図である。
【図１６】平行平板を移動可能にした変形例を示す光軸に沿った断面図である。
【図１７】アパーチャアレイを付加した平行平板を用いた変形例を示す光軸に沿った断面図である。
【発明を実施するための形態】
【００１８】
以下、図面を参照して、本発明の一実施形態による露光ヘッド及び露光装置について説明する。
【００１９】
＜第１の実施形態＞
（露光装置の全体構成）
まず、本実施形態の露光装置の全体の構成について説明する。
【００２０】
図１は本実施形態の露光装置の概略構成を示す斜視図である。本実施形態の露光装置１００は、図１に示すように、感光材料１５０を表面に吸着して保持する平板状の移動手段としてのステージ１５２を備えている。そして、４本の脚部１５４に支持された厚い板状の設置台１５６の上面には、ステージ移動方向に沿って延びた２本のガイド１５８が設置されている。ステージ１５２は、その長手方向がステージ移動方向を向くように配置されると共に、ガイド１５８によって往復移動可能に支持されている。なお、この露光装置には、副走査手段としてのステージ１５２をガイド１５８に沿って駆動する図示しないステージ駆動装置が設けられている。
【００２１】
設置台１５６の中央部には、ステージ１５２の移動経路を跨ぐようにコの字状のゲート１６０が設けられている。コの字状のゲート１６０の端部の各々は、設置台１５６の両側面に固定されている。このゲート１６０を挟んで一方の側には、走査露光部であるスキャナ１６２が設けられている。また、ゲート１６０を挟んで他方の側には、感光材料１５０の先端及び後端を検知する複数（例えば２個）のセンサ１６４が設けられている。スキャナ１６２及びセンサ１６４はゲート１６０に各々取り付けられて、ステージ１５２の移動経路の上方に固定配置されている。よって、ステージ１５２の移動に伴い、感光材料１５０に対し、スキャナ１６２及びセンサ１６４は相対的に移動する。なお、ステージ駆動装置（図示せず）、スキャナ１６２及びセンサ１６４は、これらを制御する図示しないコントローラに各々接続されている。
【００２２】
（走査露光部の構成）
次に、露光装置の走査露光部であるスキャナの構成を説明する。
【００２３】
図２はスキャナの構成を模式的に示す斜視図である。図３（Ａ）は感光材料に露光済み領域が形成される様子を示す平面図であり、図３（Ｂ）は各露光ヘッドによる露光エリアの配列を示す模式図である。スキャナ１６２は、図２及び図３（Ｂ）に示すように、複数の露光ヘッド１６６を備えている。複数の露光ヘッド１６６は、ｍ行ｎ列のマトリクス状に配列されている。なお、以下では、ｍ行目のｎ列目に配列された個々の露光ヘッドを区別して示す場合には露光ヘッド１６６ｍｎと表記し、区別する必要が無い場合には露光ヘッド１６６と総称する。本実施の形態では、円筒状の筐体を備えた８個の露光ヘッド１６６１１〜１６６２４が、２行４列で配列された一例を図示している。
【００２４】
露光ヘッド１６６で露光される領域である露光エリア１６８は、図２に示すように、短辺が副走査方向に沿った矩形状であり、副走査方向に対し、所定の傾斜角θで傾斜している。なお、後述するミラーデバイス５０を傾斜配置することで、露光エリア１６８を傾斜させている。ステージ１５２の移動に伴って露光エリア１６８も移動し、感光材料１５０には露光ヘッド１６６ごとに帯状の露光済み領域１７０が形成される。なお、図１及び図２に示すように、副走査方向はステージ移動方向とは逆向きとなる。なお、以下では、ｍ行目のｎ列目に配列された個々の露光ヘッドによる露光エリアを区別して示す場合は、露光エリア１６８ｍｎと表記し、区別する必要が無い場合には露光エリア１６８と総称する。
【００２５】
また、図３（Ａ）及び（Ｂ）に示すように、帯状の露光済み領域１７０のそれぞれが、隣接する露光済み領域１７０と部分的に重なるように、ライン状に配列された各行の露光ヘッド１６６の各々は、その配列方向に所定間隔ずらして配置されている。この露光ヘッドの配置により、１行目の露光エリア１６８１１と露光エリア１６８１２との間に在る露光できない部分は、２行目の露光エリア１６８２１によって露光される。
【００２６】
（露光ヘッドの概略構成）
次に、各露光ヘッドの構成について説明する。
【００２７】
図４は露光ヘッドの概略構成を示す斜視図である。露光ヘッド１６６の筐体内には、露光ヘッド１６６を構成する複数の部材が収納されている。露光ヘッド１６６は、図４に示すように、入射された光ビームを画像データに応じて各画素部ごとに変調する空間光変調素子として、ＤＭＤ（登録商標）に代表されるマイクロミラーを備えた反射型の空間光変調素子（以下、「ミラーデバイス」という）５０を備えている。空間光変調素子としては、液晶シャッター等の透過型の空間光変調素子も用いることができるが、複数の画素部の各々に対応した複数の光ビームを生成すること（変調）が容易な点で、マイクロミラーを画素部として備えた反射型の空間光変調素子が好適である。
【００２８】
ミラーデバイス５０は、データ処理部とミラー駆動制御部とを備えた図示しないコントローラに接続されている。このコントローラのデータ処理部では、入力された画像データに基づいて、各露光ヘッド１６６ごとにミラーデバイス５０の制御すべき領域内の各マイクロミラーを駆動制御する制御信号を生成する。また、ミラー駆動制御部では、画像データ処理部で生成した制御信号に基づいて、各露光ヘッド１６６ごとにミラーデバイス５０の各マイクロミラーの反射面の角度を駆動制御する。
【００２９】
ここで、図５及び図６を参照して、ミラーデバイス５０の構成及び動作について簡単に説明する。ミラーデバイス５０は、図５に示すように、基板に作製されたＳＲＡＭセル（メモリセル）６０上に、各々画素部（ピクセル）を構成する多数（例えば１０２４個×７６８個）のマイクロミラー６２が格子状に配列されてなるミラーデバイスである。各ピクセルにおいて、最上部には支柱に支えられたマイクロミラー６２が設けられており、マイクロミラー６２の表面にはアルミニウム等の反射率の高い材料が蒸着されている。
【００３０】
ＳＲＡＭセル６０にデジタル信号が書き込まれると、マイクロミラー６２が基板側に対して±α度（例えば±１２度）の範囲で傾けられる。図６（Ａ）は、マイクロミラー６２がオン状態である＋α度に傾いた状態を示し、図６（Ｂ）は、マイクロミラー６２がオフ状態である−α度に傾いた状態を示す。従って、画像信号に応じて、ミラーデバイス５０の各ピクセルにおけるマイクロミラー６２の傾きを、図５に示すようにオンオフ制御することによって、ミラーデバイス５０に入射したレーザ光Ｂはそれぞれのマイクロミラー６２の傾き方向へ反射される。なお、オフ状態のマイクロミラー６２で反射したレーザ光Ｂが進行する方向には、光吸収体（図示せず）が配置されている。
【００３１】
以下、図４に戻って説明する。ミラーデバイス５０の光入射側には、ファイバアレイ光源６６、ファイバアレイ光源６６から出射されたレーザ光を補正してＤＭＤ上に集光させるレンズ系６７、レンズ系６７を透過したレーザ光をミラーデバイス５０に向けて反射するミラー６９がこの順に配置されている。ファイバアレイ光源６６は、光ファイバの出射端部（発光点）が露光エリア１６８の長辺方向と対応する方向に沿って一列に配列されたレーザ出射部６８を備えている。上記レンズ系６７から出射したレーザ光はミラー６９で反射されて、ミラーデバイス５０に照射される。
【００３２】
一方、ミラーデバイス５０の光反射側には、ミラーデバイス５０で反射されたレーザ光を、感光材料１５０上に結像する結像光学系５１が配置されている。この結像光学系５１により、ミラーデバイス５０で空間的に変調されたレーザ光が、感光材料１５０上の露光エリア１６８に照射される。そして、露光ヘッド１６６に対し感光材料１５０が移動することにより、感光材料１５０上に帯状の露光済み領域１７０が形成される。
【００３３】
（多重焦点露光用の光学系）
図７は露光ヘッドの構成を詳細に説明するための光軸に沿った断面図である。図４に図示した構成は概略的なものであり、本実施の形態の露光ヘッド１６６は、多重焦点露光を行うために、ミラーデバイス５０の下流側の結像光学系５１が複雑な構成を備えている。ここで、多重焦点露光とは、感光材料１５０の略同じ位置が、焦点距離が同じで且つ焦点位置の異なる複数の光ビームで重ねて露光されることをいう。また、焦点位置とは、感光材料１５０を露光する光ビームが焦点を結ぶ、感光材料１５０の表面近傍の位置である。なお、多重焦点露光の具体的な方法については後述する。その際に、感光材料の「表面近傍」の範囲、即ち、位置ずれの許容範囲についても説明する。
【００３４】
図７に示すように、ミラーデバイス５０の光入射側には、ファイバアレイ光源６６及び集光レンズ系６７が配置されている。ミラーデバイス５０は、保持基板９２上の所定位置に保持されている。レンズ系６７から出射したレーザ光は、ミラーデバイス５０に照射される。ミラーデバイス５０は、光照射により高温になる。このため、保持基板９２の裏側には、放熱のためのヒートシンク５２が取り付けられている。
【００３５】
ミラーデバイス５０の光反射側には、図４に示す結像光学系５１として、一対のレンズ７２、７４、多数のマイクロレンズ７６が２次元状に配列されたマイクロレンズアレイ７８、厚さの異なる複数の部分を有する平行平板１０及び一対のレンズ８０、８２の各々が、ミラーデバイス５０側からこの順に配置されている。平行平板１０は、互いに対向する平行面が光軸と直交するように固定配置されている。なお、ここでは平行平板１０の平行面が光軸と直交する配置について説明するが、後述する通り、焦点距離が同じで且つ焦点位置の異なる複数の光ビームが得られる限り、平行平板１０を平行面が光軸と交差するように、平行平板１０を所定角度傾けて配置することもできる。
【００３６】
本実施の形態では、一対のレンズ７２、７４とマイクロレンズアレイ７８とで、ミラーデバイス５０で反射されたレーザ光を集光させる集光光学系が構成されている。一対のレンズ７２、７４からなる光学系は、ミラーデバイス５０による像を拡大してマイクロレンズアレイ７８上に結像するビームエキスパンダとして機能する。
【００３７】
マイクロレンズアレイ７８は、ミラーデバイス５０の各画素部に対応し、各画素部からの光をそれぞれ集光する多数のマイクロレンズ７６が２次元状に配列されてなるものである。各マイクロレンズ７６は、それぞれ対応するマイクロミラー６２からのレーザ光が入射する位置において、レンズ７２、７４からなる光学系によるマイクロミラー６２の結像位置近傍に配置されている。後述するようにミラーデバイス５０をステージ移動方向に対し傾斜配置する場合には、マイクロレンズアレイ７８も同様に傾斜配置される。
【００３８】
なお、本実施の形態では、マイクロレンズアレイ７８を省略して、集光光学系を構成してもよい。或いは、各マイクロレンズ７６に対応する多数のアパーチャ（開口）が形成されたアパーチャアレイを、マイクロレンズアレイ７８の光出射側に配置してもよい。
【００３９】
また、本実施の形態では、平行平板１０と一対のレンズ８０、８２とで、集光光学系で集光されたレーザ光の各々を結像させる結像光学系が構成されている。光路長は、光が屈折率ｎの物質中を距離ｄだけ進む間に、真空中を進行する距離Δであり、Δ＝ｎｄで表される。従って、厚さの異なる複数の部分を有する平行平板１０は、レーザ光が通過する部分に応じて光路長を変えることで、焦点距離を一定に維持したままで、通過するレーザ光の焦点位置を変化させる。ここで「焦点距離を一定に維持する」とは、レンズ８２のレンズ中心から焦点までの距離を一定にするのではなく、結像光学系により結像される複数の光ビームの収束角度が一定であるという意味である。
【００４０】
図８は平行平板の形状を模式的に示す斜視図である。平行平板１０は、ステージ移動方向に向って厚さが段階的に変化する板状部材であり、厚さの異なる複数の部分を有している。なお、ここでは、平面視が略矩形状の平行平板１０の一辺が、ステージ移動方向と平行に配置される例を図示するが、後述するようにミラーデバイス５０をステージ移動方向に対し傾斜配置する場合には、平行平板１０も同様に傾斜配置される。
【００４１】
本実施の形態では、平行平板１０は、図８に示すように、厚さｄ１の長尺状の平板部分１０１、厚さｄ２の長尺状の平板部分１０２及び厚さｄ３の長尺状の平板部分１０３が一体に形成された板状部材である。厚さｄ２の値は厚さｄ１の値より大きく、厚さｄ３の値は厚さｄ２の値より大きい。平板部分１０１、平板部分１０２及び平板部分１０３は、ステージ移動方向に向ってこの順に配置されており、ステージ移動方向に向って段階的に厚くなるように形成されている。
【００４２】
この例では、平板部分１０１、平板部分１０２及び平板部分１０３は、一方の平行面が面一に配置されることで、平行平板１０の光入射面が平面となる。また、平板部分１０１、平板部分１０２及び平板部分１０３は、他方の平行面が階段状に配置されることで、平行平板１０の光出射面が凹凸面となる。なお、平行平板１０の光入射面を平面とし且つ光出射面を凹凸面としてもよく、平行平板１０の光入射面及び光出射面の両方を凹凸面としてもよい。
【００４３】
図７に示すように、厚さｄ２の平行平板１０２を通過したレーザ光が焦点を結ぶ位置を基準焦点位置５６とする。この場合、厚さｄ２より薄い厚さｄ１の平板部分１０１を通過するレーザ光は、基準焦点位置５６の手前で焦点を結び、厚さｄ２より厚い厚さｄ３の平板部分１０３を通過するレーザ光は、基準焦点位置５６の先で焦点を結ぶ。
【００４４】
図９（Ａ）〜（Ｃ）は多重焦点露光により焦点深度が拡大する理由を説明する模式図である。ここでは、感光材料１５０は、半導体基板１５１上に形成されたフォトレジスト膜である。「焦点位置」をレンズ８２の光出射面８２Ａから焦点位置までの光軸に沿った距離Ｌｎで表す。ｎは１、２又は３であり、平板部分１０１、平板部分１０２及び平板部分１０３の各々に対応している。基準焦点位置５６の手前で焦点を結ぶ場合の距離をＬ１、基準焦点位置５６に焦点を結ぶ場合の距離をＬ２、基準焦点位置５６の先で焦点を結ぶ場合の距離をＬ３とする。距離Ｌ２の値は距離Ｌ１の値よりδだけ大きく、距離Ｌ３の値は距離Ｌ２の値よりδだけ大きい。
【００４５】
図９（Ｂ）に示すように、感光材料１５０の表面が基準焦点位置５６に在る場合（ずれ量Ｚ＝０の場合）には、焦点位置までの距離Ｌ２のレーザ光が感光材料１５０の表面に焦点を結ぶ。また、図９（Ａ）に示すように、感光材料１５０の表面が基準焦点位置５６より手前に在る場合（ずれ量Ｚ＝−δの場合）には、焦点位置までの距離Ｌ１のレーザ光が感光材料１５０の表面に焦点を結ぶ。また、図９（Ｃ）に示すように、感光材料１５０の表面が基準焦点位置５６より先に在る場合（ずれ量Ｚ＝＋δの場合）には、焦点位置までの距離Ｌ３のレーザ光が、感光材料１５０の表面に焦点を結ぶ。
【００４６】
焦点位置では光パワー密度が高く、焦点位置から離隔するにつれて光パワー密度は小さくなる。従って、焦点位置における光パワー密度で感光材料が感光してパターン形成されるように露光量を設定しておけば、感光材料１５０の表面で焦点を結んだレーザ光のみによりパターン形成され、焦点を結んでいないレーザ光によってはパターン形成されない。
【００４７】
従って、感光材料１５０の略同じ位置を、焦点位置の異なる複数のレーザ光で重ねて露光することで、感光材料１５０の表面が基準焦点位置５６から光軸方向に位置ずれしたとしても、何れかのレーザ光が感光材料１５０の表面に焦点を結び、実効的な焦点深度が拡大する。上記の通り、例えば、焦点位置までの距離Ｌ１、焦点位置までの距離Ｌ２、焦点位置までの距離Ｌ３というように焦点位置の異なる３種類のレーザ光で、感光材料１５０の略同じ位置を重ねて露光することで、ずれ量Ｚ＝−δ〜＋δの範囲内で、感光材料１５０の光軸方向での位置ずれが許容される。本実施の形態では、例えば、ずれ量Ｚが±１００μｍ程度の場合を、許容範囲と想定している。
【００４８】
なお、多重露光の露光回数が多い場合には、焦点を結んでいないレーザ光による露光の積算量が、感光材料が感光してパターン形成される感光閾値を越えてしまい、解像度が劣化する可能性が生じる。このような場合は、露光すべき点において、焦点を結んでいないレーザ光による露光の積算量では感光閾値を超えず、且つ、焦点を結ぶレーザ光及び焦点を結んでいないレーザ光による露光の積算量が、感光閾値を越えるように露光量を設定する。これにより、上記と同様の結果が得られる。
【００４９】
また、平行平板１０によりレーザ光の光路長を変えることで、通過するレーザ光の焦点位置を変化させるので、焦点位置の異なるレーザ光の焦点距離（換言すれば、レーザ光の収束角度）は略同じである。このため、焦点距離の異なるレンズを用いて多重焦点露光を行う場合に比べて、光軸方向での位置ずれが許容される範囲が広くなる。また、感光材料１５０の表面に焦点を結ぶ場合のビームウエスト径（スポット径）は略一定となり、高精細な多重焦点露光が可能となる。即ち、高い解像度を維持し且つ深い焦点深度を得ることができ、露光品質を維持することができる。
【００５０】
平行平板１０の材料としては、露光光の波長に応じて、該露光光に透明な材料を適宜選択することができる。平行平板１０の材料には、ガラス等の無機材料の外、光学用途に使用される樹脂等の有機材料も用いることができる。半導体基板上に形成されたフォトレジストに回路パターンを焼き付ける場合、通常、フォトレジストに青色光や紫外光が照射される。露光光が青色光や紫外光の場合には、平行平板１０の材料としては、耐光性に優れる石英ガラスを用いることが好ましい。
【００５１】
例えば、平行平板１０の材質が合成石英（屈折率ｎ＝１．４７）である仮定すると、平行平板１０の後段に配置される一対のレンズ８０、８２の光学倍率が１倍のとき、ずれ量Ｚ＝｜１００μｍ｜を許容するためには、平行平板１０に、２１３μｍ（＝１００μｍ／（１．４７−１））の段差を設ければよいことになる。図８に示す例では、平板部分１０２の厚さｄ２を、平板部分１０１の厚さｄ１より２１３μｍだけ厚くし、平板部分１０３の厚さｄ３を、平板部分１０２の厚さｄ２より２１３μｍだけ厚くする。
【００５２】
（多重焦点露光の方法）
図１０は１つのミラーデバイスによって得られる二次元像である露光エリア及び露光エリアにおけるブロック領域を示す模式図である。ここでミラーデバイス５０は、それぞれがＬ行×Ｍ列のマイクロミラー６２を有するＫ個のブロック領域からなると想定される。この例では、簡明化のために行列数を少なくして表しており、Ｌ＝６、Ｍ＝６、Ｋ＝３６とし、３つのブロック領域をＡ、Ｂ、Ｃとして示している。ブロック領域Ａ、Ｂ、Ｃの各々は、平板部分１０１、平板部分１０２及び平板部分１０３の各々に対応している。このため、感光材料１５０上の露光エリア１６８には、焦点位置の異なる３種類のレーザ光が照射される。
【００５３】
図１０に示すように、露光エリア１６８が副走査方向に対しθ＝±ｔａｎ−１（ｋ／Ｌ）の傾斜角θで傾斜するように、ミラーデバイス５０は傾けて配置されている。ここで、ｋはＬに対し互いに素な自然数又はＬと等しい数である。このように露光エリア１６８を傾斜させることで、各マイクロミラー６２による露光ビームの走査軌跡（走査線）のピッチが、露光エリア１６８を傾斜させない場合の走査線のピッチより狭くなり、解像度を向上させることができる。
【００５４】
また、図１０に示すように、矢印で示した同一走査線上を、複数のマイクロミラー６２で反射された（且つ、集光され、結像された）レーザ光が走査することになる。例えば、走査線Ｌ１に着目すると、この走査線Ｌ１上を、黒丸で示す合計３つの反射光像（露光ビーム１２Ａ、１２Ｂ、１２Ｃ）が走査している。即ち、感光材料１５０に対して露光ヘッド１６６が相対移動（副走査）するのに伴い、感光材料１５０上の同一位置を焦点位置の異なるレーザ光（露光ビーム１２Ａ、１２Ｂ、１２Ｃ）によって多重露光している。
【００５５】
例えば、経過時間をｔ秒、露光タイミングを１回／ａ秒とすると、ｔ＝０の露光エリア１６８における反射光像は、露光ビーム１２Ａ（ｔ＝０）、１２Ｂ（ｔ＝０）、１２Ｃ（ｔ＝０）である。また、ｔ＝ａ（ａ秒後）の反射光像は、露光ビーム１２Ａ（ｔ＝ａ）、１２Ｂ（ｔ＝ａ）、１２Ｃ（ｔ＝ａ）である。また、ｔ＝−ａ（ａ秒前）の反射光像は、露光ビーム１２Ａ（ｔ＝−ａ）、１２Ｂ（ｔ＝−ａ）、１２Ｃ（ｔ＝−ａ）である。ｔ＝ａでは、露光ビーム１２Ｃ（ｔ＝ａ）と１２Ｂ（ｔ＝０）と１２Ａ（ｔ＝−ａ）とにより同じ位置が多重露光され、露光ビーム１２Ｂ（ｔ＝ａ）と１２Ｃ（ｔ＝０）とにより同じ位置が多重露光される。
【００５６】
（感光材料の特性に応じた露光方法）
上記では、感光材料１５０の表面が基準焦点位置５６から光軸方向に位置ずれしたとしても、何れかのレーザ光が感光材料１５０の表面に焦点を結び、実効的な焦点深度が拡大する例について説明したが、焦点位置の異なるレーザ光による多重露光によれば、厚い感光材料の露光も可能になる。
【００５７】
感光材料１５０（フォトレジスト膜）自体が、相当の厚さを有している場合がある。例えば、パッケージ用途のセミアディティブ工法では、厚さ２５μｍのフォトレジスト膜が形成される。また、ＭＥＭＳ用途では、厚さ１００μｍのフォトレジスト膜が形成される。このように厚いフォトレジスト膜を均一に露光する上で、多重焦点露光は有効な手段である。
【００５８】
また、感光材料１５０の感光特性に応じて、焦点位置の異なるレーザ光による多重露光を行うことも可能である。図１１（Ａ）〜（Ｃ）は、焦点位置の異なるレーザ光による多重露光の経時変化の様子を示す概略図である。経過時間をｔ秒、露光タイミングを１回／ａ秒として、図１１（Ａ）はｔ＝０の場合、図１１（Ｂ）はｔ＝ａの場合、図１１（Ｃ）はｔ＝２ａの場合である。感光材料１５０に対して露光ヘッド１６６が相対移動（副走査）するのに伴い、感光材料１５０が矢印方向に相対移動して、感光材料１５０上の同一位置が、焦点位置の異なるレーザ光（露光ビーム１２Ａ、１２Ｂ、１２Ｃ）によって多重露光される。
【００５９】
本実施の形態では、基板１５１上に形成されたフォトレジスト膜である感光材料１５０に、焦点位置までの距離Ｌ３のレーザ光（露光ビーム１２Ｃ）、焦点位置までの距離Ｌ２のレーザ光（露光ビーム１２Ｂ）、及び焦点位置までの距離Ｌ１のレーザ光（露光ビーム１２Ａ）が、この順に照射される。距離Ｌ３＞距離Ｌ２＞距離Ｌ１である。
【００６０】
図１１（Ａ）〜（Ｃ）に示すように、感光材料１５０は、基板１５１に近い奥側から、即ち、裏面１５０Ｒ側から表面１５０Ｓ側に向って、焦点を結んだレーザ光で順に露光されることになる。レーザ光との反応後に光透過率が低下する感光材料１５０では、裏面１５０Ｒ側から表面１５０Ｓ側に向って順に露光することで、透過率低下の影響を受けずに露光を行うことができる。
【００６１】
＜第２の実施形態＞
第２の実施の形態に係る露光装置は、矢印で図示したステージ移動方向に対し、平行平板を配置する向きを逆向きにした以外は、第１の実施の形態と同じ構成であるため、同じ構成部分については説明を省略する。また、図１２は第２の実施の形態に係る露光ヘッドの構成を詳細に説明するための光軸に沿った断面図である。平行平板を配置する向きを逆向きにした以外は、第１の実施の形態と同じ構成であるため、同じ構成部分には同じ符号を付して説明を省略する。但し、逆向きに配置された平行平板は、平行平板１０Ａとして、第１の実施の形態の平行平板１０と区別する。
【００６２】
平行平板１０Ａは、第１の実施の形態の平行平板１０と同様に、厚さｄ１の長尺状の平板部分１０１、厚さｄ２の長尺状の平板部分１０２及び厚さｄ３の長尺状の平板部分１０３が一体に形成された板状部材である。厚さｄ２の値は厚さｄ１の値より大きく、厚さｄ３の値は厚さｄ２の値より大きい。平板部分１０１、平板部分１０２及び平板部分１０３は、ステージ移動方向とは逆方向に向ってこの順に配置されており、ステージ移動方向に向って段階的に薄くなるように形成されている。
【００６３】
図１３（Ａ）〜（Ｃ）は、焦点位置の異なるレーザ光による多重露光の経時変化の様子を示す概略図である。経過時間をｔ秒として、図１３（Ａ）はｔ＝０の場合、図１３（Ｂ）はｔ＝ａの場合、図１３（Ｃ）はｔ＝２ａの場合である。感光材料１５０に対して露光ヘッド１６６が相対移動（副走査）するのに伴い、感光材料１５０が矢印方向に相対移動して、感光材料１５０上の同一位置が、焦点位置の異なるレーザ光（露光ビーム１２Ａ、１２Ｂ、１２Ｃ）によって多重露光される。
【００６４】
本実施の形態では、基板１５１上に形成されたフォトレジスト膜である感光材料１５０に、焦点位置までの距離Ｌ１のレーザ光（露光ビーム１２Ａ）、焦点位置までの距離Ｌ２のレーザ光（露光ビーム１２Ｂ）、及び焦点位置までの距離Ｌ３のレーザ光（露光ビーム１２Ｃ）が、この順に照射される。距離Ｌ３＞距離Ｌ２＞距離Ｌ１である。
【００６５】
図１３（Ａ）〜（Ｃ）に示すように、感光材料１５０は、基板１５１に近い奥側から、即ち、表面１５０Ｓ側から裏面１５０Ｒ側に向って、焦点を結んだレーザ光で順に露光されることになる。レーザ光との反応後に光透過率が向上する感光材料１５０では、表面１５０Ｓ側から裏面１５０Ｒ側に向って順に露光することで、透過率向上の効果を利用して効率よく露光を行うことができる。
【００６６】
＜他の実施の形態＞
（平行平板の形状及び配置の変形例）
上述した通り、上記の露光ヘッド及び露光装置においては、平行平板の複数の部分は、感光材料が露光により光透過率が低下する特性を有する場合には裏面側から順に露光される配列となるように、予め定めた方向では段階的に異なる厚さに形成されたものとすることができる。また、平行平板の複数の部分は、感光材料が露光により光透過率が増加する特性を有する場合には表面側から順に露光される配列となるように、予め定めた方向では段階的に異なる厚さに形成されたものとすることができる。
【００６７】
このように、感光材料の特性に応じて副走査方向での複数の焦点位置を設定することで、感光材料に好適な光量を付与して多重焦点露光を行うことができる。即ち、感光材料が露光により光透過率が低下する特性を有する場合には裏面側から順に露光され、感光材料が露光により光透過率が増加する特性を有する場合には表面側から順に露光される。
【００６８】
また、上記の実施の形態では、露光前後で透過率が大きく変化する感光材料の感光特性に応じて、焦点位置の異なるレーザ光を照射する順序を変えて、最適露光を行う例について説明したが、透過率変化が小さい感光特性を有する感光材料の場合には、厚さ方向の中央部分から露光を開始して、表面１５０Ｓ側及び裏面１５０Ｒ側にプレ露光効果をもたらせるのが良い場合もある。従って、厚さの異なる複数の部分を有する平行平板１０の形状及び配置は、第１の実施の形態及び第２の実施の形態に例示したものには限定されない。
【００６９】
図１４（Ａ）〜（Ｃ）は平行平板１０の形状及び配置の変形例を示す光軸に沿った断面図である。なお、ステージ移動方向を矢印で併記する。例えば、図１４（Ａ）に示すように、平行平板１０Ｂは、第１の実施の形態の平行平板１０と同様に、厚さｄ１の平板部分１０１、厚さｄ２の平板部分１０２及び厚さｄ３の平板部分１０３を備えており（厚さｄ３＞厚さｄ２＞厚さｄ１）、ステージ移動方向に向って一旦薄くなった後に、再び厚くなるように形成してもよい。
【００７０】
また、図１４（Ｂ）に示すように、平行平板１０Ｃは、同様に、平板部分１０１、平板部分１０２及び平板部分１０３を備えており、ステージ移動方向に向って一旦厚くなった後に、再び薄くなるように形成してもよい。また、図１４（Ｃ）に示すように、より多段階（図では５段階）に亘り段差を設けてもよい。この例では、平行平板１０Ｄは、同様に、平板部分１０１、平板部分１０２、平板部分１０３、平板部分１０４及び平板部分１０５を備えており、ステージ移動方向に向って段階的に薄くなるように形成されている。
【００７１】
（段差基板への適用）
図１５（Ａ）及び（Ｂ）は、段差基板への適用例を示す概略図である。また、上記の実施の形態では、一定の厚さの感光材料を露光する例について説明したが、本発明では多重焦点露光により実効的な焦点深度が拡大するので、半導体装置の製造過程でフォトリソグラフィを行う場合のフォトレジストの露光工程のように、表面に段差のあるフォトレジスト膜を露光する場合にも、本発明の露光装置は有効である。同様に、うねりや反りのある感光材料を露光する場合にも、本発明の露光装置は有効である。
【００７２】
例えば、図１５（Ａ）に示すように、半導体基板１５１上に形成された感光材料１５０が、段差状に形成されたフォトレジストである場合であっても、感光材料１５０の略同じ位置を、焦点位置の異なるレーザ光（図では露光ビーム１２Ａ、１２Ｂ、１２Ｃ）で重ねて露光することで、何れかのレーザ光が感光材料１５０表面、裏面又は内部で焦点を結び、感光材料１５０の露光が可能となる。同様にして、図１５（Ｂ）に示すように、段差を有する半導体基板１５１上に同じ厚みで形成された感光材料（フォトレジスト）１５０を、何れかのレーザ光で露光することができる。
【００７３】
（平行平板を移動可能にした変形例）
また、上記の実施の形態では、平行平板が互いに対向する平行面が光軸と直交するように固定配置されている例について説明したが、平行平板を光軸と直交する方向に移動可能に構成し、焦点位置の異なるレーザ光による露光順序を適宜変更してもよい。例えば、図１６に示すように、平行平板を、第１の実施の形態の平行平板１０と第２の実施の形態の平行平板１０Ａとを光軸と直交する方向（矢印Ａ方向）に並ぶように連結された構造とする。そして、レーザ光との反応後に光透過率が低下する感光材料１５０の場合には、平行平板１０が光路上に配置され、レーザ光との反応後に光透過率が増加する感光材料１５０の場合には、平行平板１０Ａが光路上に配置されるように、図示しない駆動装置により平行平板を移動させて、切り替え可能に構成することができる。
【００７４】
（アパーチャアレイを付加した平行平板）
また、上記の実施の形態では、各マイクロレンズに対応する多数のアパーチャが形成されたアパーチャアレイを、マイクロレンズアレイの光出射側に配置した変形例を例示したが、アパーチャアレイを平行平板の光入射面に設けてもよい。
【００７５】
図１７はアパーチャアレイを付加した平行平板を用いた変形例を示す光軸に沿った断面図である。アパーチャアレイを付加した平行平板を用いた以外は、第１の実施の形態と同じ構成であるため、同じ構成部分には同じ符号を付して説明を省略する。図１７に示すように、平行平板１０の光入射面には、アパーチャアレイ１４が付加されている。アパーチャアレイ１４は、マイクロレンズアレイ７８の各マイクロレンズ７６に対応する多数のアパーチャ（開口）１６が、平行平板１０の光入射面に成膜された金属等の遮光膜に形成されてなるものである。アパーチャアレイ１４により拡散光をカットされるので、不要露光が低減される。
【符号の説明】
【００７６】
１０          平行平板
１０Ａ〜Ｄ    平行平板
１２Ａ〜Ｃ    露光ビーム
１４          アパーチャアレイ
１６          アパーチャ（開口）
５０          ミラーデバイス
５１          結像光学系
５２          ヒートシンク
５６          基準焦点位置
６０          ＳＲＡＭセル
６２          マイクロミラー
６６          ファイバアレイ光源
６７          レンズ系
６８          レーザ出射部
６９          ミラー
７２          レンズ
７６          マイクロレンズ
７８          マイクロレンズアレイ
８０          レンズ
８２          レンズ
８２Ａ        光出射面
９２          保持基板
１００        露光装置
１０１〜１０３平板部分
１５０        感光材料
１５０Ｓ      表面
１５０Ｒ      裏面
１５１        基板（半導体基板）
１５２        ステージ
１５４        脚部
１５６        設置台
１５８        ガイド
１６０        ゲート
１６２        スキャナ
１６４        センサ
１６６        露光ヘッド
１６８        露光エリア
１７０        露光済み領域
【図１】
2011007941.tif 000003
【図２】
2011007941.tif 000004
【図３】
2011007941.tif 000005
【図４】
2011007941.tif 000006
【図５】
2011007941.tif 000007
【図６】
2011007941.tif 000008
【図７】
2011007941.tif 000009
【図８】
2011007941.tif 000010
【図９】
2011007941.tif 000011
【図１０】
2011007941.tif 000012
【図１１】
2011007941.tif 000013
【図１２】
2011007941.tif 000014
【図１３】
2011007941.tif 000015
【図１４】
2011007941.tif 000016
【図１５】
2011007941.tif 000017
【図１６】
2011007941.tif 000018
【図１７】
2011007941.tif 000019